(57)【要約】注文情報管理モジュール、予約情報管理モジュール、物流情報管理モジュール、通関検査申告モジュール、保険情報モジュール、貨物引換証情報モジュール、入出港情報モジュール、書類管理モジュール及びプロセス監視モジュールを含むインテリジェントな統合国際貨物輸送サービスプラットフォームが開示される。注文プロセスの進捗状況に基づいて、注文プロセス監視バーに進捗状況プロンプトラベルがマークされ、作業操作を実行可能である。前記注文プロセスの進捗状況は、注文情報管理モジュール、予約情報管理モジュール、物流情報管理モジュール、通関検査申告モジュール、保険情報モジュール、貨物引換証情報モジュール、入出港情報モジュール、書類管理モジュールの配列で構成される。本発明は、ビジネス運営、物流、検査申告、税関、保険、船舶などの各分野におけるすべての情報を整理統合し、統合された運営システムにつなげることにより、ユーザがスクリーニングし、選択することができ、ユーザの注文情報に基づいてインテリジェントに自動的にスクリーニングし、マッチングし、ビジネスプロセスの操作を実行することができる。【選択図】図１
2021535529.tif 000002
【特許請求の範囲】
【請求項１】
注文を開始し、注文情報を取得して格納し、注文情報に一意の番号を有する注文プロセスシーケンスを追加するための注文情報管理モジュールと、
輸送会社のサーバと接続及び情報交換し、予約情報を取得して表示し、予約オンライン操作機能を提供するための予約情報管理モジュールと、
物流会社のサーバと接続及び情報交換し、物流情報を取得して表示し、車両予約オンライン操作機能を提供するための物流情報管理モジュールと、
通関会社のサーバと接続及び情報交換し、通関情報を取得して表示し、通関オンライン操作機能を提供するための通関検査申告モジュールと、
保険会社のサーバと接続及び情報交換し、保険情報を取得して表示し、保険オンライン操作機能を提供するための保険情報モジュールと、
輸送請負会社のサーバと接続及び情報交換し、輸送請負情報を取得して表示し、貨物引換証情報のオンライン確認機能を提供するための貨物引換証情報モジュールと、
物流の現在位置、入港出港情報、遅延状況並びに予想及び実際の入港情報を表示するための入出港情報モジュールと、
貨物引換証書類並びに貨物引換証書類のオンライン受渡及びオンライン手数料支払機能を生成するための書類管理モジュールと、
注文情報管理モジュール、予約情報管理モジュール、物流情報管理モジュール、通関検査申告モジュール、保険情報モジュール、貨物引換証情報モジュール、入出港情報モジュール、書類管理モジュールの配列で構成される注文プロセスの進捗状況に基づいて、注文プロセス監視バーに進捗状況プロンプトラベルをマークし、注文プロセス監視バーに基づいて対応する注文プロセスの進捗状況を操作可能であるプロセス監視モジュールと、を含む、
ことを特徴とするインテリジェントな統合国際貨物輸送サービスプラットフォーム。
【請求項２】
前記注文プロセス監視バーは、注文プロセスの進捗状況に基づいてプロセス監視項目を追加し、前記進捗状況プロンプトラベルは、個別プロセスの進捗状況に基づいて各プロセス監視項目に追加するために用いられる、
ことを特徴とする請求項１に記載のインテリジェントな統合国際貨物輸送サービスプラットフォーム。
【請求項３】
前記入出港情報モジュールは、世界電子地図を表示するための電子地図モジュールであって、船舶の測位情報に基づいて世界電子地図に位置マーカを追加する電子地図モジュールを含む、
ことを特徴とする請求項１に記載のインテリジェントな統合国際貨物輸送サービスプラットフォーム。
【請求項４】
前記位置マーカは、船舶の測位情報に基づいて世界電子地図に追加される動的位置マーカである現在位置マーカと、船舶の目的地の位置に基づいて追加される静的位置マーカである入港位置マーカと、収集された船舶の特別なイベントに基づいて追加される静的位置マーカである突発イベントマーカと、を含む、
ことを特徴とする請求項３に記載のインテリジェントな統合国際貨物輸送サービスプラットフォーム。
【請求項５】
前記位置マーカは、触発されると関連する位置情報が表示されるマーカ触発ポイントである、
ことを特徴とする請求項３に記載のインテリジェントな統合国際貨物輸送サービスプラットフォーム。
【請求項６】
前記注文情報は、注文番号、荷送人、荷受人、連絡先、荷積み港、荷降ろし港、出航予定日、荷受地及びコンテナ情報を含む、
ことを特徴とする請求項１に記載のインテリジェントな統合国際貨物輸送サービスプラットフォーム。
【請求項７】
前記予約情報は、出発港、目的港、船会社、航海番号、船名、箱型、価格、貨物引換証訂正締切日、貨物搬入締切日、出航日及び航海期間を含む、
ことを特徴とする請求項１に記載のインテリジェントな統合国際貨物輸送サービスプラットフォーム。
【請求項８】
前記物流情報は、物流会社、会社所在地、車種並びにそのトン数、価格、期間及び会社検索機能を含む、
ことを特徴とする請求項１に記載のインテリジェントな統合国際貨物輸送サービスプラットフォーム。
【請求項９】
前記貨物引換証情報は、荷送人、荷受人、連絡先、輸送請負会社、荷受地、船名、航海番号、荷積み港、荷降ろし港、荷渡地、荷印、梱包種類、梱包数量、貨物名、総重量及び体積を含む、
ことを特徴とする請求項１に記載のインテリジェントな統合国際貨物輸送サービスプラットフォーム。
【請求項１０】
前記手数料書類は、予約手数料、トレーラ手数料、通関手数料、検査申告手数料、保険手数料及び宅配便手数料を含む、
ことを特徴とする請求項１に記載のインテリジェントな統合国際貨物輸送サービスプラットフォーム。
【発明の詳細な説明】
【技術分野】
【０００１】
本発明は、国際貨物輸送分野に関し、特にインテリジェントな統合国際貨物輸送サービスプラットフォームに関するものである。
【背景技術】
【０００２】
現在、国際貨物輸送分野の運営は、依然として非常に伝統的であり、そのほとんどは、オフラインでのフォームへの記入や専任者によるチェックなどの伝統的な操作である。国際貨物輸送取引は、プロセスが複雑で、多額の資金が必要である。従来の方法は、人々自身の責任感に依存する場合が多く、情報の記入ミス、情報の記入漏れ、情報間違いなどの状況が発生しやすい。また、物流、船舶、税関、保険などの複数の分野の連携が必要である。現在、その中の一部の会社は、ネットワーク化の方向に発展し、情報の照会や表示などのサービスを提供しているが、いずれもその中の一部の部分であり、モジュール化された機能及び操作であって、上記すべての部分をつなげるインテリジェントな統合プラットフォームではない。そのため、プロセス全体で表示して交換することができ、上記複数の分野を整理統合した統合インターネットプラットフォームが必要であり、ビジネスチェーン全体を通じて、単一のモジュールではなく、全体的なインテリジェントな運営が実現され、また、コンピュータが自発的に処理するインテリジェントな操作が実現されるようにする。
【発明の概要】
【０００３】
本発明の目的は、従来の情報交換が便利ではないという問題を解決するために、インテリジェントな統合国際貨物輸送サービスプラットフォームを提供することにある。
【０００４】
上記目的を実現するために、本発明の技術的手段は、注文を開始し、注文情報を取得して格納し、注文情報に一意の番号を有する注文プロセスシーケンスを追加するための注文情報管理モジュールと、
海運会社のサーバと接続及び情報交換し、予約情報を取得して表示するための予約情報管理モジュールと、
物流会社のサーバと接続及び情報交換し、物流情報を取得して表示するための物流情報管理モジュールと、
通関会社のサーバと接続及び情報交換し、通関情報を取得して表示するための通関検査申告モジュールと、
保険会社のサーバと接続及び情報交換し、保険情報を取得して表示するための保険情報モジュールと、
輸送会社のサーバと接続及び情報交換し、輸送請負情報を取得して表示するための貨物引換証情報モジュールと、
物流の現在位置、遅延状況及び予想の入港情報を表示するための入出港情報モジュールと、
手数料書類を生成するための書類管理モジュールと、
注文情報管理モジュール、予約情報管理モジュール、物流情報管理モジュール、通関検査申告モジュール、保険情報モジュール、貨物引換証情報モジュール、入出港情報モジュール、書類管理モジュールの配列で構成される注文プロセスの進捗状況に基づいて、注文プロセス監視バーに進捗状況プロンプトラベルをマークし、作業操作を実行可能であるプロセス監視モジュールと、を含むインテリジェントな統合国際貨物輸送サービスプラットフォームである。
【０００５】
さらなる実施例において、前記注文プロセス監視バーは、注文プロセスの進捗状況に基づいてプロセス監視項目を追加し、前記進捗状況プロンプトラベルは、個別プロセスの進捗状況に基づいて各プロセス監視項目に追加するために用いられる。
【０００６】
さらなる実施例において、前記入出港情報モジュールは、世界電子地図を表示するための電子地図モジュールであって、船舶の測位情報に基づいて世界電子地図に位置マーカを追加する電子地図モジュールを含む。
【０００７】
さらなる実施例において、前記位置マーカは、船舶の測位情報に基づいて世界電子地図に追加される動的位置マーカである現在位置マーカと、船舶の目的地の位置に基づいて追加される静的位置マーカである入港位置マーカと、収集された船舶の特別なイベントに基づいて追加される静的位置マーカである突発イベントマーカと、を含む。
【０００８】
さらなる実施例において、前記位置マーカは、触発されると関連する位置情報が表示されるマーカ触発ポイントである。
【０００９】
さらなる実施例において、前記注文情報は、注文番号、荷送人、荷受人、連絡先、荷積み港、荷降ろし港、出航予定日、荷受地及びコンテナ情報を含む。
【００１０】
さらなる実施例において、前記予約情報は、出発港、目的港、船会社、航海番号、船名、箱型、価格、貨物引換証訂正締切日、貨物搬入締切日、出航日及び航海期間を含む。
【００１１】
さらなる実施例において、前記物流情報は、物流会社、会社所在地、車種並びにそのトン数、価格、期間及び会社検索機能を含む。
【００１２】
さらなる実施例において、前記貨物引換証情報は、荷送人、荷受人、連絡先、輸送請負会社、荷受地、船名、航海番号、荷積み港、荷降ろし港、荷渡地、荷印、梱包種類、梱包数量、貨物名、総重量及び体積を含む。
【００１３】
さらなる実施例において、前記手数料書類は、予約手数料、トレーラ手数料、通関手数料、検査申告手数料、保険手数料及び宅配便手数料を含む。
【発明の効果】
【００１４】
本発明は、国際貨物輸送の取引プロセスに基づいて設計され、ビジネス操作、物流、検査申告、税関、保険、船舶などの各分野におけるすべての情報を整理統合し、統合された運営システムにつなげることにより、ユーザがスクリーニングし、選択することができ、ユーザが記入した注文情報の基本的な内容に基づいてインテリジェントに自動的にスクリーニングし、マッチングし、ビジネスプロセスの操作を実行することができる。ユーザによる操作の利便性及び一連のプロセスの完了の簡易性を高め、ユーザの労働力をある程度解放し、ビジネス部分全体をより簡単、効率的、便利、低コストにすることができる。注文からプロセス全体の終了までワンクリック操作を実現でき、視覚的で操作可能な動的運営システムであるインテリジェントな統合国際貨物輸送サービスプラットフォームが提供される。
【図面の簡単な説明】
【００１５】
本発明の実施例又は従来技術における技術的手段をより明確に説明するために、以下は、実施例又は従来技術の説明に必要とされる図面を簡単に説明する。明らかに、以下の説明の図面は、本発明の実施例に過ぎない。当業者にとって、創造的な作業なしに提供される図面に基づいて他の図面を得ることができる。
【００１６】
【図１】本発明の実施例に係るインテリジェントな統合国際貨物輸送サービスプラットフォームのシステム構成図である。
【図２】図１のプロセス監視モジュールの内容表示図である。
【発明を実施するための形態】
【００１７】
本発明の実施例の目的、技術的手段及び利点をより明確にするために、以下は、本発明の実施例の図面を参照しながら本発明の実施例における技術的手段を明確かつ完全に説明する。明らかに、説明される実施例は、本発明の実施例の一部であり、すべての実施例ではない。通常、本明細書の図面に記載及び示される本発明の実施例の構成要素は、さまざまな異なる構成で配置及び設計することができる。したがって、図面に提供される本発明の実施例の以下の詳細な説明は、保護請求される本発明の範囲を限定することを意図するものではなく、本発明の選択された実施例のみを示すものである。本発明の実施例に基づいて、創造的な作業なしに当業者によって得られる他のすべての実施例は、いずれも本発明の保護範囲に属する。
【００１８】
以下は、本発明の実施例について詳細に説明する。前記実施例の例は、図面に示され、全体を通して同一又は類似の符号は、同一若しくは類似の要素又は同一若しくは類似の機能を有する要素を示す。図面を参照しながら以下に説明する実施例は例示的なものであり、本発明を説明することを意図しており、本発明を限定するものとして理解することはできない。
【００１９】
以下は、図面及び具体的な実施例を参照しながら本発明をさらに説明する。
【００２０】
図１及び図２に示すように、本発明の実施例に係るインテリジェントな統合国際貨物輸送サービスプラットフォームは、以下のモジュールを含む。
【００２１】
注文情報管理モジュール１は、注文を開始し、注文情報を取得して格納し、注文情報に一意の番号を有する注文プロセスシーケンスを追加するためのものである。注文プロセスシーケンスの一意の番号は、注文プロセスシーケンスを区別するためのものである。前記注文情報は、注文番号、荷送人、荷受人、連絡先、荷積み港、荷降ろし港、出航予定日、荷受地及びコンテナ情報を含む。ユーザは、インターネットに接続されたスマート端末を介して上記情報を入力し、登録を行い、登録後に注文情報を生成することができる。注文情報モジュールは、必要な基本情報のほとんどを収集し、後続に位置するモジュールは、前後のモジュールを関連させるようにコンピュータによって自動的に検索してマッチングすることができる。注文情報は、後続のモジュールのデータを記録、追跡及び記載するだけでなく、最初のステップとして使用され、提供した情報に基づいて、後続の操作を自動的にマッチングして検索することができる。
【００２２】
予約情報管理モジュール２は、海運会社のサーバと接続及び情報交換し、出発港、目的港、船会社、航海番号、船名、箱型、価格、貨物引換証訂正締切日、貨物搬入締切日、出航日及び航海期間を含む予約情報を取得して表示するためのものである。海運会社のサーバは、上記内容を含む予約情報を公表し、ユーザは、インターネットに接続されたスマート端末を介して予約情報を選択し、予約情報を選択した後に注文プロセスシーケンスに追加する。
【００２３】
物流情報管理モジュール３は、物流会社のサーバと接続及び情報交換し、物流会社、会社所在地、車種並びにそのトン数、価格、期間及び会社検索機能を含む物流情報を取得して表示するためのものである。物流会社のサーバは、上記内容を含む物流情報を公表し、ユーザは、インターネットに接続されたスマート端末を介して物流情報を選択し、物流情報を選択した後に注文プロセスシーケンスに追加する。
【００２４】
通関検査申告モジュール４は、通関会社のサーバと接続及び情報交換し、通関会社、サービス価格及び会社検索機能を含む通関情報を取得して表示するためのものである。通関会社のサーバは、上記内容を含む通関情報を公表し、ユーザは、インターネットに接続されたスマート端末を介して通関情報を選択し、通関情報を選択した後に注文プロセスシーケンスに追加する。
【００２５】
保険情報モジュール５は、保険会社のサーバと接続及び情報交換し、保険会社、保険種類、保険契約、保険金額などの情報を含む保険情報を取得して表示するためのものである。保険会社のサーバは、上記内容を含む保険情報を公表し、ユーザは、インターネットに接続されたスマート端末を介して保険情報を選択し、保険情報を選択した後に注文プロセスシーケンスに追加する。
【００２６】
貨物引換証情報モジュール６は、輸送請負会社のサーバと接続及び情報交換し、輸送請負情報を取得して表示するためのものである。前記貨物引換証情報は、荷送人、荷受人、連絡先、輸送請負会社、荷受地、船名、航海番号、荷積み港、荷降ろし港、荷渡地、荷印、梱包種類、梱包数量、貨物名、総重量及び体積を含む。貨物引換証情報モジュール６は、注文情報、予約情報及び物流情報における内容を収集して貨物引換証情報を自動的に生成し、貨物引換証情報を輸送請負会社のサーバに送信し、輸送請負会社のオペレータは、輸送請負会社のサーバで貨物引換証情報を処理する。
【００２７】
入出港情報モジュール７は、物流の現在位置、遅延状況及び予想の入港情報を表示するためのものである。情報の便宜上、船会社、船名、航海番号、予想の出航時間などの情報が追加されてもよい。前記入出港情報モジュール７は、世界電子地図を表示するための電子地図モジュールであって、船舶の測位情報に基づいて世界電子地図に位置マーカを追加する電子地図モジュールを含む。従来の船舶のいずれにも、ＧＰＳ測位機能又は北斗測位機能が設けられており、入出港情報モジュール７は、定期的に海運会社のサーバから船舶測位情報を収集し、測位情報に基づいて世界電子地図に位置マーカを追加する。
【００２８】
前記位置マーカは、船舶の測位情報に基づいて世界電子地図に追加される動的位置マーカである現在位置マーカと、船舶の目的地の位置に基づいて追加される静的位置マーカである入港位置マーカと、収集された船舶の特別なイベントに基づいて追加される静的位置マーカである突発イベントマーカと、を含む。
【００２９】
前記位置マーカは、触発されると関連する位置情報が表示されるマーカ触発ポイントである。ユーザが世界電子地図においてマーカ触発ポイントをクリックすると、入出港情報モジュール７は、世界電子地図に位置マーカの関連情報を直接表示するので、ユーザは、当該位置マーカの関連内容を効率的かつ直感的に理解することができる。
【００３０】
書類管理モジュール８は、予約手数料、トレーラ手数料、通関手数料、検査申告手数料、保険手数料、宅配便手数料及びその他の費用を含む手数料書類を生成するためのものである。従来の一般的な貨物引換証は、電子貨物引換証を郵送又は電子メールで送信する必要があるが、本発明の書類管理モジュールは、手数料リストを生成し、ユーザが支払いを行った後、貨物引換証の書類オンライン交換接続作業が自動的に行われる。貨物引換証は権利証書であり、貨物引換証情報モジュール８では、主に貨物引換証情報の確認を行い、このステップに到達すると、主に支払いと貨物引換証の取得を行う。
【００３１】
プロセス監視モジュール９は、注文情報管理モジュール１、予約情報管理モジュール２、物流情報管理モジュール３、通関検査申告モジュール４、保険情報モジュール５、貨物引換証情報モジュール６、入出港情報モジュール７、書類管理モジュール８の配列で構成される注文プロセスの進捗状況に基づいて、注文プロセス監視バー１０に進捗状況プロンプトラベル１１をマークし、作業操作を実行可能である。注文プロセスの進捗状況は、上記モジュールによって自由に組み合わせることができるが、本実施例における最適な組み合わせは、従来の国際海運取引プロセスの順序に基づいて、順に注文情報管理モジュール１、予約情報管理モジュール２、物流情報管理モジュール３、通関検査申告モジュール４、保険情報モジュール５、貨物引換証情報モジュール６、入出港情報モジュール７及び書類管理モジュール８である。ユーザは、注文プロセス監視バーをクリックして、対応する注文プロセスの進捗状況を開き、対応する管理モジュールで操作することができ、操作プロセスが簡素化される。
【００３２】
前記プロセス監視モジュール９は、注文プロセス監視バー１０及び進捗状況プロンプトラベル１１を含む。前記注文プロセス監視バー１０は、注文プロセスの進捗状況に基づいてプロセス監視項目を追加する。本実施例におけるプロセス監視項目は、注文生成項目、予約生成項目、トレーラ生成項目、通関生成項目、保険生成項目、貨物引換証生成項目、入港生成項目及び書類生成項目を含む。前記進行状況プロンプトラベル１１は、個別プロセスの進捗状況に基づいて各プロセス監視項目に追加されるので、ユーザが自分の注文プロセスを直感的に把握し、一箇所にまとめて進捗状況の監視及び追跡を行うのに便利である。
【００３３】
具体的に使用する場合、ユーザが注文情報管理モジュール1に注文情報を入力して保存すると、注文プロセス監視バー１０における注文生成項目に進捗状況プロンプトラベル１１が追加され、ユーザが予約情報管理モジュール２に予約情報を入力して保存すると、注文プロセス監視バー１０における予約生成項目に進捗状況プロンプトラベル１１が追加され、ユーザが物流情報管理モジュール３に物流情報を入力して保存すると、注文プロセス監視バー１０における物流生成項目に進捗状況プロンプトラベル１１が追加され、ユーザが通関情報管理モジュールに通関情報を入力して保存すると、注文プロセス監視バー１０における通関生成項目に進捗状況プロンプトラベル１１が追加され、ユーザが保険情報管理モジュールに保険情報を入力して保存すると、注文プロセス監視バー１０における保険生成項目に進捗状況プロンプトラベル１１が追加され、貨物引換証情報モジュール６が貨物引換証情報を生成すると、注文プロセス監視バー１０における貨物引換証生成項目に進捗状況プロンプトラベル１１が追加され、輸送請負会社が貨物引換証情報を処理すると、注文プロセス監視バー１０における入港生成項目に進捗状況プロンプトラベル１１が追加され、船舶の入港決済後に書類が生成されると、注文プロセス監視バー１０における書類生成項目に進捗状況プロンプトラベル１１が追加される。
【００３４】
なお、上記の各実施例は、本発明の技術的手段を説明するためだけのものであり、それを制限するものではない。前記実施例を参照しながら本発明を詳細に説明したが、当業者は、依然として前記実施例に記載された技術的手段を修正し、又は技術的特徴の一部又は全部を同等に置換することができ、これらの修正又は置換は、対応する技術的手段の本質を本発明の各実施例の技術的手段の範囲から逸脱させないことを理解するべきである。
【００３５】
本願は、２０１８年９月１１日に中国専利局に出願され、出願番号がＣＮ２０１８１１０５８１９３．０であり、発明の名称が「インテリジェントな統合国際貨物輸送サービスプラットフォーム」である中国特許出願の優先権を主張し、そのすべての内容は、参照により本願に組み込まれている。
【符号の説明】
【００３６】
１  注文情報管理モジュール
２  予約情報管理モジュール
３  物流情報管理モジュール
４  通関検査申告モジュール
５  保険情報モジュール
６  貨物引換証情報モジュール
７  入出港情報モジュール
８  書類管理モジュール
９  プロセス監視モジュール
１０  注文プロセス監視バー
１１  進捗状況プロンプトラベル
【図１】
2021535529.tif 000003
【図２】
2021535529.tif 000004
【国際調査報告】
2021535529.tif 000005
2021535529.tif 000006
2021535529.tif 000007
2021535529.tif 000008